(57)【特許請求の範囲】
【請求項１】
被測定者に固有の情報である被測定者情報、測定の種類とこれに対応する測定機器の測定メニューを表す測定モード情報、測定メニュー内で実施する具体的な運動内容を表す運動プロトコル情報、および転送先情報を含むコード情報を生成するコード情報生成部と、
前記コード情報を埋め込んだ媒体を生成する媒体生成部と、
前記媒体生成部により生成された前記媒体からコード情報を読み取り、前記測定モード情報と前記運動プロトコル情報に合わせるように測定機器を設定し、前記測定モード情報および前記運動プロトコル情報に対応する測定データを取得する測定部と、
前記コード情報から読み取った前記被測定者情報および前記測定部により取得した測定データを、前記転送先情報により示された所定の転送先に送信する通信部と、
前記通信部により送信された測定データを記憶する記憶部と、
を備える、身体測定データ収集システム。
【請求項２】
前記コード情報生成部は、前記測定データに対する分析処理を表す分析情報を前記コード情報に含め、
前記測定部により取得された測定データに対して前記分析情報により表された分析処理を行う分析部を備える、
請求項１に記載の身体測定データ収集システム。
【請求項３】
前記分析処理は、前記測定部により取得された測定データのうち前記測定モード情報および前記運動プロトコル情報により表された測定に対応しない測定データを除外する処理、前記測定部により取得された測定データから前記運動プロトコル情報により表された一連の運動ステージごとに測定データやその代表値を抽出する処理、被測定者の複数項目の測定データに基づいて新たな評価値を算出する処理の少なくとも一つを含む、
請求項２に記載の身体測定データ収集システム。
【請求項４】
前記コード情報生成部は、測定機器の特性に基づいて前記測定データを変換するための情報を前記コード情報に含め、
前記測定データを変換するための情報に基づいて前記測定データを変換することで、複数の測定機器により取得された前記測定データを変換したデータ同士を比較可能にする、
請求項１に記載の身体測定データ収集システム。
【請求項５】
前記コード情報生成部は、前記測定データに対する評価処理を表す情報を前記コード情報に含め、
前記測定部により取得された測定データ、および他の被測定者の測定データを用いて前記評価処理を行う評価部を備える、
請求項１に記載の身体測定データ収集システム。
【請求項６】
端末により、被測定者に固有の情報である被測定者情報、測定の種類とこれに対応する測定機器の測定メニューを表す測定モード情報、測定メニュー内で実施する具体的な運動内容を表す運動プロトコル情報、および転送先情報を含むコード情報を生成するステップと、
印刷部により、前記コード情報を埋め込んだ媒体を生成するステップと、
測定機器により、生成された前記媒体からコード情報を読み取り、前記測定モード情報と前記運動プロトコル情報に合わせるように測定機器を設定し、ステップと、
前記測定機器により、前記測定モード情報および前記運動プロトコル情報に対応する測定データを取得するステップと、
前記コード情報から読み取った前記被測定者情報および前記測定機器により取得した測定データを、前記測定機器から前記転送先情報により示された所定の転送先に送信するステップと、
送信された測定データを記憶するステップと、
を有する、身体測定データ収集方法。
【発明の詳細な説明】
【技術分野】
【０００１】
本発明は、身体測定データ収集システム、および身体測定データ収集方法に関する。
【背景技術】
【０００２】
従来より、体力評価等を目的として、アスリートやスポーツ愛好家等の被測定者の身体特性（形態、体組成、運動能力など）を測定するために、様々な測定機器が利用されている。これらの測定機器は、身体特性をある１つの側面から数値化および評価することに特化して設計されていることが多いが、被測定者の身体特性について総合的な評価を行うことで、被測定者の身体特性を評価する意義を最大限に高めることが望まれている。このように被測定者の身体特性を総合的に評価するためには、異なる複数の測定機器から被測定者に関する測定データを集約する必要がある。例えば、体組成、筋力、パワー発揮能力、持久力、運動中の心拍などの生理応答などを各測定機器から収集し、統合する必要がある。体力測定や健康診断といった技術としては、下記の特許文献１−３に記載された技術が知られている。
【０００３】
特許文献１に記載された健康診断方法は、受診者ごとに情報記録媒体を用意し、この情報記録媒体に体型測定及び体力測定のデータを測定ごとに随時入力し、全測定終了後、全測定データを処理装置で処理して、その結果を画面表示もしくはプリントアウトする。この健康診断方法において、測定は、血圧、閉眼片足立ち、自転車エルゴメータ等による重負荷および軽負荷運動テスト、シルエッターによる体型測定、視力テストの一種である近点距離テストと規定されている。
【０００４】
特許文献２に記載された体力測定システムは、体力測定を行う測定器と、測定された測定値を記録するデータメモリとＣＰＵから成るＩＣカードとを備え、測定は、握力、垂直跳び、反復横跳び、身長、体重、肺機能などが例示され、適宜変更可能であるとされている。
【０００５】
特許文献３に記載された体力測定装置は、運動負荷量を構成している物理量を取り込むための物理量測定手段、物理量入力手段、物理量記憶手段と、水平方向成分と垂直方向成分とを求めてから合成することにより運動負荷量を演算する運動負荷量演算手段と、物理量測定手段で物理量を測定すると同時に測定する脈拍数測定手段とで構成する。この体力測定装置は、任意の運動負荷量と脈拍を同時に測定することができるとされている。
【先行技術文献】
【特許文献】
【０００６】
【特許文献１】特開昭６２−１５６７７４号公報
【特許文献２】特開昭６３−１２７７３８号公報
【特許文献３】特開２００２−２５３５３８号公報
【発明の概要】
【発明が解決しようとする課題】
【０００７】
上述した特許文献１−３に記載された技術は、複数の身体特性を取得しているものの、身体特性の測定内容が予め固定されている。すなわち、計測の実施内容を被測定者ごとに変更することは想定されていない。したがって、被測定者の競技特異性（専門性）、被測定者の体力レベル、被測定者の嗜好や要望などに応じて、測定項目や運動プロトコルを柔軟に調整することや、変更することが困難である。測定項目や運動プロトコルの変更を柔軟に実施するためには、測定項目や運動プロトコルに対応した測定機器をそれぞれ個別に運用し、手作業にてデータを集約および統合して、総合的な評価を与える必要がある。しかしながら、大きな手間がかかり、さらには、ヒューマンエラー等の懸念も大きい。
【０００８】
本発明は、上記の課題に鑑みてなされたものであって、測定内容を柔軟に設定（カスタマイズ）し、複数の身体特性を複数の測定機器を用いて測定し、総合的に体力測定を行うことができる身体測定データ収集システム、および身体測定データ収集方法を提供することを目的としている。
【課題を解決するための手段】
【０００９】
（１）本発明の一態様は、被測定者に固有の情報である被測定者情報、測定の種類とこれに対応する測定機器の測定メニューを表す測定モード情報、測定メニュー内で実施する
具体的な運動内容を表す運動プロトコル情報、および転送先情報を含むコード情報を生成するコード情報生成部と、前記コード情報を埋め込んだ媒体を生成する媒体生成部と、前記媒体生成部により生成された前記媒体からコード情報を読み取り、前記測定モード情報と前記運動プロトコル情報に合わせるように測定機器を設定し、前記測定モード情報および前記運動プロトコル情報に対応する測定データを取得する測定部と、前記コード情報から読み取った前記被測定者情報および前記測定部により取得した測定データを、前記転送先情報により示された所定の転送先に送信する通信部と、前記通信部により送信された測定データを記憶する記憶部と、を備える、身体測定データ収集システムである。
【００１０】
（２）本発明の一態様は、端末により、被測定者に固有の情報である被測定者情報、測定の種類とこれに対応する測定機器の測定メニューを表す測定モード情報、測定メニュー内で実施する具体的な運動内容を表す運動プロトコル情報、および転送先情報を含むコード情報を生成するステップと、印刷部により、前記コード情報を埋め込んだ媒体を生成するステップと、測定機器により、生成された前記媒体からコード情報を読み取り、前記コード情報に基づいて前記測定モード情報と前記運動プロトコル情報に合わせるように測定機器を設定するステップと、前記測定機器により、前記測定モード情報および前記運動プロトコル情報に対応する測定データを取得するステップと、前記コード情報を埋め込んだ媒体から読み取った前記被測定者情報および前記測定機器により取得した測定データを、前記測定機器から前記転送先情報により示された所定の転送先に送信するステップと、送信された測定データを記憶するステップと、を有する、身体測定データ収集方法である。
【発明の効果】
【００１１】
本発明の一態様によれば、測定内容を柔軟に設定（カスタマイズ）し、複数の身体特性を複数の測定機器を用いて測定し、総合的に体力測定を行うことができる。
【図面の簡単な説明】
【００１２】
【図１】実施形態の身体測定データ収集システム１の一構成例を示すブロック図である。
【図２】実施形態における身体測定データ収集システム１の事前処理について説明するための図である。
【図３】実施形態における身体測定データ収集システム１の測定処理について説明するための図である。
【図４】実施形態における身体測定データ収集システム１における測定の流れの一例を示す図である。
【発明を実施するための形態】
【００１３】
以下、本発明を適用した身体測定データ収集システム、および身体測定データ収集方法を、図面を参照して説明する。
【００１４】
＜実施形態の概要＞
図１は、実施形態の身体測定データ収集システム１の一例を示すブロック図である。
実施形態に係る身体測定データ収集システム１は、アスリートやスポーツ愛好家等の被測定者について複数種類の身体特性（形態、体組成、運動能力など）の測定を行うことで、身体特性の包括的な測定データを、効率的に収集および分析することを可能とする情報処理システムである。
【００１５】
身体測定データ収集システム１は、少なくとも２つの特徴を持つ。身体測定データ収集システム１の１つ目の特徴は、測定項目や測定内容を複数の被測定者について予め規定することをせず、被測定者の体力レベル、競技種目や要望にあわせて、測定項目や測定内容を柔軟に設定（カスタマイズ）し、設定した測定項目や測定内容を測定する点である。これにより、身体測定データ収集システム１によれば、需要が個人で様々に異なるアスリートを対象としたデータ収集および分析を実施することができる。
【００１６】
身体測定データ収集システム１の２つ目の特徴は、被測定者に固有の情報である被測定者情報、測定の種類とこれに対応する測定機器の測定メニューを表す測定モード情報、測定メニュー内で実施する具体的な運動内容を表す運動プロトコル情報、および転送先情報を含むコード情報を測定機器、およびサーバ装置で共有する。さらに、身体測定データ収集システム１は、測定データに対する分析処理を表す分析情報、測定機器の特性に基づいて前記測定データを変換するための情報、または測定データに対する評価処理を表す情報を測定機器、およびサーバ装置で共有することが望ましい。被測定者ごとに異なる測定内容でデータ処理等を実施することができる。これらの情報は測定に先立ってバーコード等の画像もしくはＩＣカード等の記録媒体に埋め込まれ、埋め込まれた情報を測定機器に読み取らせる。これにより、被測定者のためにカスタマイズされた内容で測定およびデータ処理等を実施することができる。
【００１７】
さらに、身体測定データ収集システム１は、様々な身体特性の評価に対応するために、特注品ではなく、既に市場に流通している様々な既存製品を利用することができる。測定内容を柔軟にカスタマイズするためには、測定機器が特注品に限定されることは好ましくない。既存の測定機器、もしくは将来開発され市場に出される様々な測定機器を実施形態の身体測定データ収集システム１に連携させることで、包括的な身体特性の測定を実現することができる。また、既存の測定機器を活用して身体測定データ収集システム１を構築できることは、システム導入のコストを抑え、保守や拡張も容易に実施することができる、非常に柔軟性の高いシステムを実現することができる。
以下、このような身体測定データ収集システム１の一例を説明する。
【００１８】
＜身体測定データ収集システム１の構成＞
図１は、実施形態の身体測定データ収集システム１の一構成例を示すブロック図である。身体測定データ収集システム１は、例えば、管理用端末装置１００と、複数の測定機器２００と、サーバ装置３００とを備える。管理用端末装置１００、測定機器２００、およびサーバ装置３００は、例えば、通信ネットワークＮＷに接続される。通信ネットワークに接続される各装置は、ＮＩＣ（Ｎｅｔｗｏｒｋ  Ｉｎｔｅｒｆａｃｅ  Ｃａｒｄ）や無線通信モジュールなどの通信インターフェースを備えている（図１では不図示）。通信ネットワークは、例えば、インターネット、ＷＡＮ（Ｗｉｄｅ  Ａｒｅａ  Ｎｅｔｗｏｒｋ）、ＬＡＮ（Ｌｏｃａｌ  Ａｒｅａ  Ｎｅｔｗｏｒｋ）、セルラー網などを含む。
【００１９】
管理用端末装置１００は、例えば、ユーザインターフェース部１０２、記憶部１０４、印刷部１０６、制御部１０８、およびデータ処理部１１０を備える。管理用端末装置１００は、例えば、据置型パーソナルコンピュータやノートパソコン、スマートフォンやタブレット端末などの携帯型端末装置である。管理用端末装置１００は、ブラウザやアプリケーションプログラムなどのＵＡ（Ｕｓｅｒ  Ａｇｅｎｔ）を起動する。ＵＡは、例えば、測定機器２００およびサーバ装置３００と通信等をするためのアプリケーションである。
【００２０】
ユーザインターフェース部１０２は、ディスプレイ、キーボードやマウス等のユーザインターフェース（ＵＩ）である。記憶部１０４は、ハードディスク等の記録再生装置であり、ユーザインターフェース部１０２により入力された情報、サーバ装置３００から取得した測定データ等を記憶する。印刷部１０６は、ユーザインターフェース部１０２により入力された情報およびデータベース３０６や図示しないその他のデータベース等に登録された情報に基づいて生成されたコード画像を印刷する。制御部１０８は、例えばＣＰＵ（Ｃｅｎｔｒａｌ  Ｐｒｏｃｅｓｓｉｎｇ  Ｕｎｉｔ）等のプロセッサであり、管理用端末装置１００における処理を統括的に制御する。データ処理部１１０は、ＬＳＩ（Ｌａｒｇｅ  Ｓｃａｌｅ  Ｉｎｔｅｇｒａｔｉｏｎ）等のハードウェアやソフトウェアであり、サーバ装置３００から取得した測定データ等を用いて分析処理、変換処理、評価処理を行う。
【００２１】
測定機器２００は、被測定者の身体特性を取得するための機器である。測定機器２００は、例えば、被測定者の心拍データを取得する機器や、被測定者の体組成データを取得する機器や、自転車エルゴメータ、筋力測定器、酸素摂取量などを測定する呼気ガス分析器、動脈血酸素飽和度測定器、ランニング用トレッドミルなどである。測定機器２００は、例えば、画像読取部２０２と、設定部２０４と、測定部２０６と、制御部２０８とを備える。画像読取部２０２は、光学的に画像を読み取るスキャナ等であり、コード画像を読み取り、コード画像に基づく情報を生成する。設定部２０４は、画像読取部２０２により生成された情報における測定モードおよび運動プロトコルに合わせて測定機器２００の設定を行う。測定部２０６は、被測定者の身体特性を表す測定データを取得する。制御部２０８は、例えばＣＰＵ等のプロセッサであり、測定機器２００における処理を統括的に制御する。
【００２２】
サーバ装置３００は、測定機器２００からの要求および測定データ等を受け付け、各種の情報処理を行う情報処理装置である。サーバ装置３００は、例えば、データ転送部３０２と、データ処理部３０４と、データベース３０６とを備える。データ転送部３０２は、測定機器２００から取得したコード画像に基づく情報や測定データ等を管理用端末装置１００に転送する動作や、所定の処理が施されたデータを管理用端末装置１００に転送する動作を行う。データ処理部３０４は、コード画像に基づく情報に基づいて測定データ等に各種のデータ処理を行う。データベース３０６は、測定機器２００から取得したコード画像に基づく情報や測定データ等を蓄積する。
【００２３】
実施形態の測定機器２００は、既存の測定機器に加え、バーコード画像等の媒体に埋め込まれた情報を読み取る機能、および読み取った情報に基づいて測定する機能、および測定して得た測定データをサーバ装置３００に送信する機能を有する。
【００２４】
測定機器２００は、例えば、心拍データ測定装置である。心拍数は、被測定者の持久的能力を評価するために測定される指標の１つである。被測定者の運動強度が高まると、エネルギー需要量および酸素需要量が増大し、これを供給するために酸素摂取量および心拍数が上昇する。心拍数は身体への相対的運動強度を反映する指標として利用される。持久的能力を評価する際には、運動負荷に応じた心拍数の変化を検査し、相対的運動強度と絶対負荷との対応関係を検討することがある。例えば、サーバ装置３００は、心拍データ測定装置と、運動負荷測定装置の双方から取得した測定データを関連付けることで、例えば持久的能力を評価することができる。
【００２５】
心拍数データは、時系列データである。多くの心拍データ測定装置は、１Ｈｚにて心拍数を測定できるよう設計されている。計測を１０分間行った場合には、６００サンプルの時系列データが得られることになる。持久的能力を評価する測定では、複数人の被測定者を同時に測定する場合があるが、時系列データの取り違えが無いよう、測定された時系列データと被測定者との対応付けを行う必要がある。これに対し、実施形態の身体測定データ収集システム１は、バーコード画像に埋め込まれた被測定者情報と心拍データ測定装置を対応付け、測定中にリアルタイムに測定値を表示し続け、測定が終わると自動的に心拍数の時系列データをテキストファイル形式で通信ネットワークＮＷ上の指定されたフォルダに送信する。これにより、身体測定データ収集システム１は、例えば、複数のアスリート（複数センサ）を同時に並行して測定を実施することができる。
【００２６】
測定機器２００は、例えば、体組成データ測定装置である。体脂肪率、除脂肪体重などの体組成に関する指標は、被測定者の身体コンディションや筋量等を評価するために用いられる。成人後の除脂肪体重の変動は、ほぼ筋量の変動によるものである。筋量は、身体が力やパワーを発揮する潜在能力を反映する指標として考えられ、これに基づいてトレーニングの効果などが評価される。体組成の測定では、体脂肪率と除脂肪体重などの主要な指標のほかにも、様々な計測値を得ることができる。インピーダンス式の体組成測定装置であれば、計測値は、各四肢のインピーダンス値、四肢ごとの体脂肪率や筋量の推定値、水分量などである。既存の体組成データ測定装置においては、これらの計測値の一部は測定結果表示に含まれない場合が多く、全ての計測値を収集するためには制御用ＰＣを介したデータ抽出の作業が必要となるが、実施形態の身体測定データ収集システム１によれば、計測値を抽出するように測定機器２００の設定を行い、抽出した測定データを被測定者情報に対応付けてサーバ装置３００に転送、蓄積、閲覧することができる。
【００２７】
測定機器２００は、例えば、自転車エルゴメータである。自転車ペダリングは、持久的能力から爆発的パワー発揮能力まで様々な測定において用いられる運動である。この運動のパワーを計測および制御するための機器は自転車エルゴメータと呼ばれ、被測定者の体力測定に広く活用されている。その利用方法のひとつは、ある設定された負荷に対して全力でペダリングを行い、発揮されたパワーを計測するというものである。発揮されたパワーの時系列データがローデータとして得られるが、これからパワー発揮の瞬間的ピーク値、ある一定時間でのパワーの平均値、運動時間経過とともに生じるパワー低下の様相、など様々な評価指標を算出することが可能である。既存の自転車エルゴメータは、これらの指標の一部を独自に算出して表示する機能を有している。また、既存の自転車エルゴメータは、数種類のテスト運動プロトコルが内蔵され、これに従って測定することで体力評価等を行うことができるものもある。ただし、既存の自転車エルゴメータは、内蔵されていない測定内容については、手動で設定を調整しつつ測定を実施し、測定者がデータを自ら集約して分析する必要がある。分析にローデータが用いられる場合もあるが、ローデータ出力が簡易に行える自転車エルゴメータは多くはない。これに対し、実施形態の身体測定データ収集システム１は、バーコード画像に埋め込まれた情報を測定前に読み取り、バーコード画像に埋め込まれた測定モードおよび運動プロトコルに合わせて測定機器２００を自動的に設定し、何れかの測定が終わると、バーコード画像に埋め込まれた被測定者情報に対応付けて、自動的に全データ（ローデータ含む）をテキストファイル形式で指定したデータベース３０６や管理用端末装置１００に転送することができる。
【００２８】
図２は、実施形態における身体測定データ収集システム１の事前処理について説明するための図である。身体測定データ収集システム１は、被測定者の身体特性を測定する前の処理として事前処理を行う。
【００２９】
事前処理は、先ず、システム情報を登録する（ステップＳ１００）。システム情報は、管理用端末装置１００、測定機器２００、およびサーバ装置３００におけるアドレス等のネットワーク情報、測定機器２００の機種や測定データの変換規則を表す情報等である。身体測定データ収集システム１は、例えば管理者の操作に基づいて、システム情報を、管理用端末装置１００、測定機器２００およびサーバ装置３００の記憶部に記憶する。
【００３０】
次に身体測定データ収集システム１は、被測定者情報を登録する（ステップＳ１０２）。被測定者情報は、例えば、被測定者の氏名、ＩＤ、年齢、競技種目等の被測定者に固有の情報である。身体測定データ収集システム１は、例えば管理者によりユーザインターフェース部１０２が操作されることにより被測定者情報を受け付ける。なお、身体測定データ収集システム１は、測定機器２００やサーバ装置３００の管理者によって被測定者情報を登録してもよい。被測定者情報は、例えばデータベース３０６に記憶される。
【００３１】
次に身体測定データ収集システム１は、測定モードおよび運動プロトコルといた測定機器２００の設定に関する情報の登録を行う。測定モードは、測定対象となる被測定者の身体特性の項目を表す情報である。測定モードは、例えば、「膝関節筋力」といった項目や、測定機器２００を用いて当該項目の測定を行う際に選択されるべき測定メニューを特定する「短縮性等速性膝関節屈曲伸展運動」といった項目である。運動プロトコルは、被測定者の身体特性の項目を測定するために被測定者が実行する運動を特定する情報である。運動プロトコルは、例えば、「短縮性等速性膝関節屈曲伸展運動」を用いた測定における詳細な運動内容、すなわち、運動速度、運動回数、などを含む。具体的には、運動プロトコルには、毎秒１８０°の屈曲伸展を３回ずつという運動ステージ、毎秒６０°の屈曲伸展を２回ずつという運動ステージ、といったような情報が含まれる。
【００３２】
次に身体測定データ収集システム１は、分析処理、変換処理および評価処理に関する情報の登録を行う（ステップＳ１０６）。
分析処理に関する情報は、被測定者の運動によって取得した測定データに対する処理を表す情報である。分析処理に関する情報は、例えば、短縮性等速性膝関節屈曲伸展運動を用いた膝関節筋力測定における測定データのうち、運動が等速度になっていない範囲の測定データを除く処理を表す情報である。分析処理に関する情報は、例えば、短縮性等速性膝関節屈曲伸展運動を用いた膝関節筋力測定における測定データから、屈曲伸展それぞれのピークトルクを抽出したり、ピークトルクが出現した際の膝関節角度を抽出したりする処理を表す情報である。さらに、分析処理に関する情報は、例えば、短縮性等速性膝関節屈曲伸展運動を用いた膝関節筋力測定において抽出された屈曲伸展それぞれのピークトルクを、体重測定により取得した体重で割る（標準化する）という処理を表す情報や、伸展筋力と屈曲筋力との比、左右の筋力比、異なる運動速度での筋力比などを算出する処理を表す情報である。さらに具体的には、分析処理に関する情報は、筋力測定機器によって測定される最大下肢伸展パワーを、インピーダンス式の体組成測定装置によって測定される下肢筋量によって割り算（標準化）し、筋量あたりのパワーを評価するための情報や、自転車エルゴメータによって測定されるペダリングパワー（運動負荷）と、心拍計によって測定される心拍数との対応関係を検討し、持久的能力を評価するための情報である。
【００３３】
変換処理に関する情報は、測定機器２００の特性に基づいて測定データを変換するための情報である。例えば、インピーダンス式の体組成測定装置には掌を機器に触れて計測したデータを用いるタイプや、足の裏を機器に触れて計測したデータを用いるタイプがあるが、計測方法が異なれば、体脂肪率や除脂肪体重の測定値に一定の誤差（系統誤差）があったり、測定値の信頼性（信頼区間）が異なったりする場合がある。これに対し、身体測定データ収集システム１は、測定機器２００の特性に基づいて、測定データの系統誤差を補正したり、全てのタイプの測定機器２００に共通する評価尺度にデータを変換したりすることで、どのようなタイプの測定機器２００であっても測定データを比較可能にする情報を設定することができる。
【００３４】
評価処理に関する情報は、被測定者の１つ、もしくは複数の項目の測定データに基づいて評価を行う処理を表す情報である。評価処理に関する情報は、例えば、被測定者と同じ競技種別・種目に属する者の測定データの統計に基づいて、被測定者の筋力を表す測定データの偏差値を評価値として算出する処理である。さらに具体的には、評価処理に関する情報は、筋力もしくは体重当たりの筋力の測定値がある閾値（統計値）を下回っている場合に、怪我のリスクが高いと判定する処理、関節の伸展と屈曲との筋力比がある閾値を下回っている場合に、怪我のリスクが高いと判定する処理、複数項目の偏差値に基づいて、体力の総合得点を算出する処理である。
【００３５】
図３は、実施形態における身体測定データ収集システム１の測定処理について説明するための図である。
先ず、身体測定データ収集システム１は、管理用端末装置１００の操作に基づいて、システム情報、被測定者情報、測定モードおよび運動プロトコルといた測定機器２００の設定に関する情報、分析処理、変換処理、および評価処理に関する情報、転送先情報といった事前に登録した情報をカスタマイズする（ステップＳ２００）。管理用端末装置１００は、例えば、被測定者の競技種目や要望に合わせて測定モードや運動プロトコルに関する情報をカスタマイズする。また、管理用端末装置１００は、登録された多数の測定データ、運動プロトコル、分析処理、変換処理、および評価処理に関する情報のうち、選択した情報を組み合わせて被測定者に対応付けてよい。すなわち、管理用端末装置１００は、被測定者ごとに測定データ、運動プロトコル、分析処理、変換処理、および評価処理に関する情報を選択することで、被測定者ごとに情報をカスタマイズすることができる。さらに、管理用端末装置１００は、被測定者や競技等の特性などの必要に応じて登録内容を増やすことにより、あらゆる場面に対応できるようにカスタマイズすることができる。さらに、管理用端末装置１００は、例えば、競技ごとに異なるデータベースにデータを保存するようカスタマイズしてよく、既存データベースの構成にあわせた、複雑な保存先指定も可能となるようカスタマイズしてよい。
【００３６】
次に管理用端末装置１００は、ステップＳ２００においてカスタマイズされた情報を埋め込んだバーコード画像を印刷する（ステップＳ２０２）。次に測定機器２００は、管理用端末装置１００が印刷したバーコード画像を読み取り（ステップＳ２０４）、測定機器２００は、ステップＳ２００においてカスタマイズされた情報を取得する。次に測定機器２００は、ステップＳ２００においてカスタマイズされた情報のうち、測定モードおよび運動プロトコルといた測定機器２００の設定に関する情報を記憶し、設定を行う（ステップＳ２０６）。測定機器２００は、ステップＳ２００においてカスタマイズされた情報のうち、他の測定機器２００に関する測定機器２００の設定に関する情報を取得した場合、当該他の測定機器２００に測定機器２００の設定に関する情報を送信してもよい。例えば、最初に運動プロトコルＡを行って、次に運動プロトコルＢを行う場合において、運動プロトコルＡと運動プロトコルＢとで測定機器２００が異なる場合、運動プロトコルＡに対応した測定機器２００は、運動プロトコルＢに関する情報を運動プロトコルＢに対応した他の測定機器２００に送信してもよい。さらに、測定機器２００は、ステップＳ２００においてカスタマイズされた情報のうち分析処理、変換処理、評価処理に関する情報をサーバ装置３００に送信する。
【００３７】
なお、本実施形態は、バーコード画像を印刷して測定機器２００がバーコード画像を読み取るが、これに限定されず、管理用端末装置１００から測定機器２００に通信ネットワークＮＷを介してバーコード画像に埋め込むべき情報を送信してもよい。バーコード画像に埋め込むべき情報の量が大きい場合や、多数の測定機器２００を用いる場合や、バーコード画像を印刷した媒体を紛失した場合などには、管理用端末装置１００から測定機器２００に通信ネットワークＮＷを介してバーコード画像に埋め込むべき情報を送信する事が望ましい場合もある。ただし、バーコード画像を用いることで、様々な測定環境（無線ネットワーク環境のない屋外など）でも運用できること、測定機器２００に対する操作（被測定者の指定など）をより最小化できること、被測定者が複数名いる場合に測定順序を測定現場で自由に調整できること等を鑑みると、バーコード画像やＩＣカード等の媒体を用いることが望ましい。
【００３８】
次に測定機器２００は、ステップＳ２０６において設定された状態において、被測定者の身体特性の測定を行い（ステップＳ２０８）、測定データの取得を行い、取得した測定データをサーバ装置３００に送信する。なお、測定機器２００は、運動プロトコルに含まれる一連の項目に対応した測定データの全部を取得した場合に、被測定者情報、測定モードおよび運動プロトコルを表す情報、分析処理、変換処理、評価処理に関する情報に加え、運動プロトコルに対応した測定データ群をサーバ装置３００に送信してもよい。
【００３９】
サーバ装置３００は、測定機器２００から受信した測定データをデータベース３０６に蓄積する。サーバ装置３００は、測定機器２００から受信した測定データに対して、当該測定機器２００から受信した分析処理に関する情報に基づいて測定データの分析を行い、当該測定機器２００から受信した評価処理に関する情報に基づいて被測定者の身体特性の評価を行う。サーバ装置３００は、複数の測定機器２００から受信した測定データを統合して、測定データの分析処理や変換処理、被測定者の身体特性の評価を行ってよい。サーバ装置３００は、分析結果、および評価結果をデータベース３０６に蓄積する。サーバ装置３００は、測定データ、分析結果、および評価結果を管理用端末装置１００に送信する（ステップＳ２１０）。これにより、サーバ装置３００は、管理用端末装置１００により測定データ、分析結果、および評価結果を印刷したり、表示させたりすることができる。
【００４０】
なお、上述した処理は、バーコード画像に埋め込んだ情報を測定機器２００からサーバ装置３００に送信したが、これに限定されず、身体測定データ収集システム１は、例えば情報のカスタマイズ時やバーコード画像を印刷した時に、分析処理、変換処理、評価処理に関する情報を、通信ネットワークＮＷを介して管理用端末装置１００から直接サーバ装置３００に送信されてよい。
【００４１】
図４は、実施形態における身体測定データ収集システム１における測定の流れの一例を示す図である。
まず、管理用端末装置１００は、競技Ｘの選手Ａについて、２０２０年７月１０日に項目ａにおける運動プロトコル１および項目ｂにおける運動プロトコル２の測定を実施し、２０２０年７月１２日に項目ｃにおける運動プロトコル３および項目ｄにおける運動プロトコル４の測定を実施するように情報がカスタマイズされたものとする。管理用端末装置１００は、競技Ｙの選手Ｂについて、２０２０年７月１０日に項目ｅにおける運動プロトコル５および項目ｆにおける運動プロトコル６の測定を実施し、２０２０年７月１２日に項目ｇにおける運動プロトコル７および項目ｈにおける運動プロトコル８の測定を実施するように情報がカスタマイズされたものとする。
【００４２】
管理用端末装置１００は、選手Ａについて２０２０年７月１０日に実施される項目ａにおける運動プロトコル１および項目ｂにおける運動プロトコル２の測定のためにコード画像Ａを発行する。コード画像Ａは、項目ａにおける運動プロトコル１の測定のために測定機器２００ａにより読み取られ、測定機器２００ａは、項目ａにおける運動プロトコル１についての分析処理、変換処理、評価処理の設定を行い、項目ａにおける運動プロトコル１の測定データを取得する。測定機器２００ａは、測定データ、および分析処理、変換処理、評価処理に関する情報をサーバ装置３００に送信し、サーバ装置３００に信号処理を行わせ、管理用端末装置１００により表示処理を行わせる。また、コード画像Ａは、項目ｂにおける運動プロトコル２の測定のために、測定機器２００ｂにより読み取られ、測定機器２００ｂは、項目ｂにおける運動プロトコル２についての分析処理、変換処理、評価処理の設定を行い、項目ｂにおける運動プロトコル２の測定データを取得する。測定機器２００ｂは、測定データ、および分析処理および評価処理に関する情報をサーバ装置３００に送信し、サーバ装置３００に信号処理を行わせ、管理用端末装置１００により表示処理を行わせる。サーバ装置３００は、複数の測定機器２００から筋力測定といった同じ身体測定の測定データを取得した場合、複数の測定機器２００で測定方法が異なっていても、複数の測定データを比較可能な測定データに変換する。このように、身体測定データ収集システム１は、被測定者および日付の組み合わせごとにコード画像を印刷し、複数の項目に対応する被測定者の身体特性を測定させることができる。
【００４３】
同様に、身体測定データ収集システム１は、選手Ａおよび２０２０年７月１２日についてコード画像Ｂを発行し、選手Ｂおよび２０２０年７月１０日についてコード画像Ｃを発し、選手Ｂおよび２０２０年７月１２日についてコード画像Ｄを発行し、それぞれのコード画像についてコード画像Ａと同様の処理を行うことができる。
【００４４】
＜実施形態の効果＞
以上説明したように、実施形態の身体測定データ収集システム１によれば、被測定者に固有の情報である被測定者情報、測定の種類とこれに対応する測定機器の測定メニューを表す測定モード情報、測定メニュー内で実施する具体的な運動内容を表す運動プロトコル情報、および転送先情報を含むコード情報を生成するコード情報生成部（１０２、１０４、１０８）と、コード情報を埋め込んだ媒体を生成する媒体生成部（１０６）と、媒体生成部により生成された媒体からコード情報を読み取り、測定モードおよび運動プロトコルに合わせて測定機器の設定を変更して測定モード情報および運動プロトコル情報に対応する測定データを取得する測定部（２００）と、コード情報から読み取った被測定者情報および測定部により取得した測定データを、転送先情報により示された所定の転送先に送信する通信部（２００、３００）と、通信部により送信された測定データを記憶する記憶部（３０６、１０４）と、を備える、身体測定データ収集システムを実現することができる。実施形態の身体測定データ収集システム１によれば、測定内容を柔軟に設定（カスタマイズ）し、複数の身体特性を複数の測定機器２００を用いて測定し、総合的に体力測定を行うことができる。さらに、身体測定データ収集システム１によれば、被測定者ごとに運動プロトコル情報、転送先情報を柔軟に設定し、被測定者に対応した測定メニューに対する分析および評価を行うことができる。
【００４５】
また、実施形態の身体測定データ収集システム１によれば、コード情報生成部は、測定データに対する分析処理を表す分析情報を前記コード情報に含め、測定部により取得された測定データに対して分析情報により表された分析処理を行う分析部を備える。これにより、身体測定データ収集システム１によれば、被測定者の要望などにあわせて測定機器２００や運動プロトコルを柔軟に設定しても、測定データに対する分析処理、評価処理を設定して、一貫した測定データの分析を行わせることができるので、複数の身体特性を、複数の測定機器２００をどのような組み合わせで用いて測定しても、総合的に体力測定を行うことができる。
【００４６】
さらに、実施形態の身体測定データ収集システム１によれば、分析処理は、測定部により取得された測定データのうち測定モード情報および運動プロトコル情報により表された測定の内容（運動条件）に対応しない測定データを除外する処理、測定部により取得された測定データから前記運動プロトコル情報により表された一連の運動ステージごとに測定データやその代表値（ピーク値など）を抽出する処理、被測定者の複数の測定データに基づいて新たな評価値を算出する処理の少なくとも一つを含む。これにより、身体測定データ収集システム１によれば、被測定者に応じて運動プロトコルを柔軟に設定しても、運動プロトコルに対応しない運動条件のもとで得られた測定データを除外して、信頼性の高い分析結果および評価結果を取得することができる。さらに、身体測定データ収集システム１によれば、運動プロトコル情報により表された一連の運動ステージの測定データ代表値を抽出するので、運動強度などとの対応が明確になったデータを取得することができる。さらに、身体測定データ収集システム１によれば、被測定者の複数の測定データに基づいて新たな評価値を算出することで、身体のさまざまな側面の状態を考慮した形で、身体能力を総合的に評価することができる。
【００４７】
さらに、実施形態の身体測定データ収集システム１によれば、コード情報生成部は、測定機器の特性に基づいて測定データを変換するための情報をコード情報に含め、測定データを変換するための情報に基づいて測定データを変換する。これにより、身体測定データ収集システム１によれば、複数の測定機器２００を用いる場合に測定機器２００の特性が異なっていても、測定データを変換して分析および評価を行うことができる。この結果、例えば、被測定者が異なる地域や施設で測定を行い、使用された測定機器２００が同じものではなかったとしても測定データの整合性を保つことができ、さらに利便性を高くすることができる。
【００４８】
さらに、実施形態の身体測定データ収集システム１によれば、コード情報生成部は、測定データに対する評価処理を表す情報をコード情報に含め、測定部により取得された測定データ、および他の被測定者の測定データを用いて評価処理を行う評価部を備える。これにより、身体測定データ収集システム１によれば、被測定者の身体特性の測定・分析のみならず、被測定者の評価も自動的に行うことができる。
【００４９】
なお、各実施形態および変形例について説明したが、一例であってこれらに限られず、例えば、各実施形態や各変形例のうちのいずれかや、各実施形態の一部や各変形例の一部を、他の１または複数の実施形態や他の１または複数の変形例と組み合わせて本発明の一態様を実現させてもよい。
【００５０】
なお、本実施形態における管理用端末装置１００、測定機器２００、サーバ装置３００の各処理を実行するためのプログラムをコンピュータ読み取り可能な記録媒体に記録して、当該記録媒体に記録されたプログラムを、コンピュータシステムに読み込ませ、実行することにより、管理用端末装置１００、測定機器２００、サーバ装置３００に係る上述した種々の処理を行ってもよい。
【００５１】
なお、ここでいう「コンピュータシステム」とは、ＯＳや周辺機器などのハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリなどの書き込み可能な不揮発性メモリ、ＣＤ−ＲＯＭなどの可搬媒体、コンピュータシステムに内蔵されるハードディスクなどの記憶装置のことをいう。
【００５２】
さらに「コンピュータ読み取り可能な記録媒体」とは、インターネットなどのネットワークや電話回線などの通信回線を介してプログラムが送信された場合のサーバやクライアントとなるコンピュータシステム内部の揮発性メモリ（例えばＤＲＡＭ（Ｄｙｎａｍｉｃ
Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置などに格納したコンピュータシステムから、伝送媒体を介して、あるいは、伝送媒体中の伝送波により他のコンピュータシステムに伝送されてもよい。
【００５３】
ここで、プログラムを伝送する「伝送媒体」は、インターネットなどのネットワーク（通信網）や電話回線などの通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【００５４】
以上、本発明の実施形態について図面を参照して詳述したが、具体的な構成はこの実施形態に限られるものではなく、この発明の要旨を逸脱しない範囲の設計なども含まれる。例えば、本発明の実施形態として、管理用端末装置１００だけで構成される場合もある。
【符号の説明】
【００５５】
１  身体測定データ収集システム、１００  管理用端末装置、１０２  ユーザインターフェース部、１０４  記憶部、１０６  印刷部、１０８  制御部、１１０  データ処理部、２００  測定機器、２０２  画像読取部、２０４  設定部、２０８  制御部、３００  サーバ装置、３０２  データ転送部、３０４  データ処理部、３０６  データベース
【要約】
【課題】測定内容を柔軟に設定（カスタマイズ）し、複数の身体特性を、複数の測定機器を用いて測定し、総合的に体力測定を行うこと。
【解決手段】本発明の一態様は、被測定者に固有の情報である被測定者情報、測定の種類とこれに対応する測定機器の測定メニューを表す測定モード情報、測定メニュー内で実施する具体的な運動内容を表す運動プロトコル情報、および転送先情報を含むコード情報を生成するコード情報生成部と、コード情報を埋め込んだ媒体を生成する媒体生成部と、媒体生成部により生成された媒体からコード情報を読み取り、測定モード情報と運動プロトコル情報に合わせるように設定して測定データを取得する測定部と、被測定者情報および測定データを、転送先情報により示された所定の転送先に送信する通信部と、通信部により送信された測定データを記憶する記憶部と、を備える、身体測定データ収集システムである。
【選択図】図１【図１】
0006954691.tif 000002
【図２】
0006954691.tif 000003
【図３】
0006954691.tif 000004
【図４】
0006954691.tif 000005